(57)【要約】【課題】  上りの伝送帯域を有効に活用する。【解決手段】  加入者側装置２ａでは、リンク断検出部２６はＩＰ端末１ａが未接続でリンク断状態であることを検出し、装置制御部２５は検出されたリンク断状態を網側装置４に送信する。網側装置４では、加入者側装置２ａからのリンク断状態の通知を受け、帯域制御部４６がリンク断状態を通知した加入者側装置２ａ以外の他の加入者側装置２ｂ，２ｃに上りの伝送帯域を割り当てる。【選択図】        図１
2006157159.tif 000002
【特許請求の範囲】
【請求項１】
伝送路を共有している複数の加入者側装置の伝送帯域を制御する網側装置において、
端末が上記加入者側装置に未接続であることを上記加入者側装置から通知するための信号を受信する受信部と、
上記端末が未接続であることを上記受信部に通知した加入者側装置以外の他の加入者側装置に上りの伝送帯域を割り当てる帯域制御部とを備えたことを特徴とする網側装置。
【請求項２】
網側装置の帯域制御部は、端末が未接続であることを通知した加入者側装置以外の他の加入者側装置への下りの伝送帯域をより多く割り当てることを特徴とする請求項１記載の網側装置。
【請求項３】
伝送路を共有している複数の加入者側装置、及び該加入者側装置の伝送帯域を制御する網側装置を含む伝送帯域制御システムにおいて、
上記加入者側装置に、
端末が未接続であることを検出するリンク断検出部と、
該リンク断検出部が検出した端末未接続を上記網側装置へ通知する装置制御部とを備え、
上記網側装置に、
上記端末が上記加入者側装置に未接続であることを上記加入者側装置から通知するための信号を受信する受信部と、
上記端末が未接続であることを上記受信部に通知した加入者側装置以外の他の加入者側装置に上りの伝送帯域を割り当てる帯域制御部とを備えたことを特徴とする伝送帯域制御システム。
【請求項４】
網側装置、及び共有の伝送路を介して該網側装置に接続された複数の加入者側装置における伝送帯域制御方法において、
上記加入者側装置が、端末が未接続であることを検出するステップと、
上記加入者側装置が、検出した端末未接続を上記網側装置へ通知するステップと、
上記網側装置が、端末未接続を通知した加入者側装置以外の他の加入者側装置に上りの伝送帯域を割り当てるステップとを備えたことを特徴とする伝送帯域制御方法。
【請求項５】
網側装置が、端末未接続を通知した加入者側装置以外の他の加入者側装置への下りの伝送帯域をより多く割り当てるステップを備えたことを特徴とする請求項４記載の伝送帯域制御方法。
【発明の詳細な説明】
【技術分野】
【０００１】
この発明はＰＯＮ（Ｐａｓｓｉｖｅ  Ｏｐｔｉｃａｌ  Ｎｅｔｗｏｒｋ）システムにおける網側装置、伝送帯域制御システム及び伝送帯域制御方法に関するものである。
【背景技術】
【０００２】
ＡＴＭ−ＰＯＮ（Ａｓｙｎｃｈｒｏｎｏｕｓ  Ｔｒａｎｓｆｅｒ  Ｍｏｄｅ  Ｐａｓｓｉｖｅ  Ｏｐｔｉｃａｌ  Ｎｅｔｗｏｒｋ）方式によるＡＴＭ伝送網システムにおける伝送帯域制御システムでは、例えば特許文献１に示すように、加入者側装置から送信された帯域要求用制御セルに基づき、網側装置が加入者側装置から網側装置への上りの伝送帯域の割り当てを動的に制御している。
【０００３】
【特許文献１】特開２００２−１４１９０９号公報（段落００１４）
【発明の開示】
【発明が解決しようとする課題】
【０００４】
従来の伝送帯域制御システムは以上のように行われていたので、加入者側装置のＵＮＩ（Ｕｓｅｒ  Ｎｅｔｗｏｒｋ  Ｉｎｔｅｒｆａｃｅ）側ＰｏｒｔにＰＣ等のＩＰ端末が接続されていない場合には、データを送信する装置がないため帯域要求用制御セルは不要であるが、網側装置では帯域要求用制御セルに基づき動作しているため、定期的に帯域要求用制御セルを受信するために伝送帯域を確保する必要があり、上りの伝送帯域を有効に活用することができないという課題があった。
【０００５】
この発明は上記のような課題を解決するためになされたもので、加入者側装置にＩＰ端末が未接続状態である場合でも、上りの伝送帯域を有効に活用することができる網側装置、伝送帯域制御システム及び伝送帯域制御方法を得ることを目的とする。
【課題を解決するための手段】
【０００６】
この発明に係る網側装置は、伝送路を共有している複数の加入者側装置の伝送帯域を制御するものにおいて、端末が上記加入者側装置に未接続であることを上記加入者側装置から通知するための信号を受信する受信部と、上記端末が未接続であることを上記受信部に通知した加入者側装置以外の他の加入者側装置に上りの伝送帯域を割り当てる帯域制御部とを備えたものである。
【発明の効果】
【０００７】
この発明により、上りの伝送帯域を有効に活用できるという効果が得られる。
【発明を実施するための最良の形態】
【０００８】
実施の形態１．
図１はこの発明の実施の形態１による伝送帯域制御システムを実現するＡＴＭ−ＰＯＮシステムの構成を示すブロック図である。このＡＴＭ−ＰＯＮシステムは、ＩＰ端末（端末）１ａ，１ｂ，１ｃ、加入者側装置２ａ，２ｂ，２ｃ、光スプリッタ３、網側装置４、ＩＰ網５、支線側光ファイバ６ａ，６ｂ，６ｃ及び幹線側光ファイバ７を備えている。
【０００９】
図１において、加入者側装置２ａ，２ｂ，２ｃは、Ｅｔｈｅｒ  Ｆｒａｍｅ送受信部２１、ＳＡＲ（Ｓｅｇｍｅｎｔｉｏｎ  Ａｎｄ  Ｒｅａｓｓｅｍｂｌｙ  ｓｕｂｌａｙｅｒ）部２２、ＡＴＭ−ＰＯＮ終端部２３、光送受信部２４及び装置制御部２５を備えており、Ｅｔｈｅｒ  Ｆｒａｍｅ送受信部２１はリンク断検出部２６を有している。また、網側装置４は、光送受信部（受信部）４１、ＡＴＭ−ＰＯＮ終端部４２、ＳＡＲ部４３、Ｅｔｈｅｒ  Ｆｒａｍｅ送受信部４４、装置監視制御部４５及び帯域制御部４６を備えている。図１において、白抜き矢印は主信号の流れを表し、黒矢印は装置の制御情報の流れを表す。
【００１０】
次に動作について説明する。
この実施の形態１は、ＰＯＮ方式による伝送網において、加入者側装置２ａ，２ｂ，２ｃの動作環境に応じて、加入者側装置２ａ，２ｂ，２ｃから網側装置４への上りの伝送帯域を動的に制御して、ＩＰデータを効率良く伝送するものである。ＰＯＮ方式は、入力された光信号を分岐／結合する光スプリッタ３と支線側光ファイバ６ａ，６ｂ，６ｃと幹線側光ファイバ７により、１つの網側装置４と複数の加入者側装置２ａ，２ｂ，２ｃを接続する伝送方式である。ＰＯＮ方式の特徴の１つは、１つの網側装置４及び光スプリッタ３と網側装置４間の幹線側光ファイバ７の伝送路を複数の加入者側装置２ａ，２ｂ，２ｃで共有することであり、また、加入者毎に実使用帯域に応じた伝送帯域制御を行うことで、加入者の要求に応じつつ、かつ網側コストを低く抑えることが可能であり、経済的な伝送網を提供することができる。
【００１１】
ＰＯＮ方式では、網側装置４から加入者側装置２ａ，２ｂ，２ｃへの下りの伝送と、加入者側装置２ａ，２ｂ，２ｃから網側装置４への上りの伝送とでは、異なる周波数を用いて制御を分離して行っている。下りの伝送では、全ての加入者側装置２ａ，２ｂ，２ｃに対して同一データを送信し、加入者側装置２ａ，２ｂ，２ｃでは自装置宛のデータのみを受信する。上りの伝送では、網側装置４が光スプリッタ３により接続されている各加入者側装置２ａ，２ｂ，２ｃの発光タイミングを制御して、各加入者側装置２ａ，２ｂ，２ｃから送信されるデータを受信する。各加入者側装置２ａ，２ｂ，２ｃの発光タイミング情報は、網側装置４からの下りの伝送データに挿入されて送信される。加入者側装置２ａ，２ｂ，２ｃでは、発光タイミング情報を基準に発光してデータを送信する。従って、上りの伝送帯域制御は網側装置４で行われる。
【００１２】
図１に示す加入者側装置２ａにおいて、Ｅｔｈｅｒ  Ｆｒａｍｅ送受信部２１は、加入者側Ｉ／Ｆ（ＵＮＩ）となり、加入者のＩＰ端末１ａとデータの送受信を行う。このＩＰ端末１ａ，１ｂ，１ｃは加入者のＰＣ等を表し、加入者側装置とＩＰプロトコルで通信を行う。ＳＡＲ部２２はＥｔｈｅｒ  ＦｒａｍｅとＡＴＭセルの変換を行い、ＡＴＭ−ＰＯＮ終端部２３はＡＴＭ−ＰＯＮ区間の終端とデータセルや制御用セルの分離や挿入を行う。光送受信部２４は光信号の送受信を行い、装置制御部２５は加入者側装置１ａの制御情報を格納し全体の制御を行う。
【００１３】
また、Ｅｔｈｅｒ  Ｆｒａｍｅ送受信部２１内のリンク断検出部２６は、加入者側のＩＰ端末１ａ等との物理的な接続状態を検出する。リンク断検出部２６では、物理的な対向装置との接続状態（リンク状態）を保持しており、装置制御部２５からの要求に応じてリンク状態を通知する。装置制御部２５では、リンク状態に変化が生じた際に、リンク状態更新通知としてＯＭＣＩ（ＯＮＴ  Ｍａｎａｇｅｍｅｎｔ  ａｎｄ  Ｃｏｎｔｒｏｌ  Ｉｎｔｅｒｆａｃｅ）セルを生成し、ＡＴＭ−ＰＯＮ終端部２３、光送受信部２４経由で網側装置４へ送信する。また、装置制御部２５では、網側装置４からの発光タイミング情報に基づいて光送受信部２４とＡＴＭ−ＰＯＮ終端部２３を制御する。
【００１４】
一方、複数の加入者側装置２ａ，２ｂ，２ｃを従属させている網側装置４において、光送受信部４１は光信号の送受信を行い、ＡＴＭ−ＰＯＮ終端部４２はＡＴＭ−ＰＯＮ区間の終端を行うと共に、各加入者側装置２ａ，２ｂ，２ｃへの送信データの間に、帯域制御部４６から通知された発光タイミング情報を挿入する。ＳＡＲ部４３はＥｔｈｅｒ  ＦｒａｍｅとＡＴＭセルの変換を行い、Ｅｔｈｅｒ  Ｆｒａｍｅ送受信部４４は網側Ｉ／Ｆとなり、インターネット網である上位のＩＰ網５とデータの送受信を行う。装置監視制御部４５は各加入者側装置２ａ，２ｂ，２ｃとの接続情報（パス設定情報等）や各加入者側装置２ａ，２ｂ，２ｃの状態を管理し、帯域制御部４６は各加入者側装置２ａ，２ｂ，２ｃの上りの伝送帯域と各加入者側装置２ａ，２ｂ，２ｃへの下りの伝送帯域を制御する。
【００１５】
図２はＡＴＭ−ＰＯＮシステムの簡略構成を示すブロック図であり、図１と同一符号は同一の構成を示している。図２に示すように、例えば、加入者側装置２ａのＵＮＩ側ＰｏｒｔにＩＰ端末１ａが未接続状態である場合には、図１に示す加入者側装置２ａのリンク断検出部２６はＰｏｒｔ未接続のリンク断状態を検出し、リンク状態更新通知としてＯＭＣＩセルを生成し、ＡＴＭ−ＰＯＮ終端部２３、光送受信部２４経由で網側装置４へ送信することにより、自装置がリンク断状態であることを網側装置４へ通知する。
【００１６】
ＯＭＣＩセルを受信して、加入者側装置２ａがリンク断状態であることの通知を受けた網側装置４では、帯域制御部４６が各加入者側装置２ａ，２ｂ，２ｃの上りの伝送帯域の割り当てを再設定し、当該加入者側装置２ａには上りの伝送帯域を割り当てずに、幹線側光ファイバ７の伝送路を共有している他の加入者側装置２ｂ，２ｃに上りの伝送帯域を割り当てる。
【００１７】
当該加入者装置２ａに上りの伝送帯域を割り当てなくても、ＩＰ端末１ａが未接続のため、転送するデータがなく影響はない。また、ＩＰ端末１ａが未接続から接続状態に変化するには、物理的に接続する必要があるため、接続からデータ送信開始まで時間を要すると考えられる。ただし、加入者側装置２ａにＩＰ端末１ａが恒久的に未接続となるとは限らないため、定期的に接続情報を得るために上りの伝送帯域を割り当てる必要があるが、常に加入者側装置１ａから帯域要求用セルを送信する伝送帯域に比べて少なくなると考えられる。従って、伝送路を共有する他の加入者側装置２ｂ，２ｃへ上りの伝送帯域をより多く割り当てることが可能となり、上りの伝送帯域を有効に活用することができる。
【００１８】
また、例えば、加入者側装置２ａがリンク断状態である場合に、その加入者側装置２ａへの下りのデータを送信しても廃棄されるだけなので、上流である網側装置４が当該加入者側装置２ａへの下りのデータの送信を停止することにより、帯域制御部４６が他の加入者側装置２ｂ，２ｃに対して、より多くの下りの伝送帯域を割り当てることが可能となり、下りの伝送帯域を有効に活用することができる。
【００１９】
図３は網側装置４と加入者側装置２ａ，２ｂ，２ｃ間のデータ送受信時のシーケンスを示す図である。まず、網側装置４から各加入者側装置２ａ，２ｂ，２ｃに対して、送信許可を下りのデータに挿入して送信する。各加入者側装置２ａ，２ｂ，２ｃは、各々が指定されたタイミングでデータと次回の送信許可用の帯域要求用データを送信する。その際、加入者側装置２ａは、ＩＰ端末１ａが接続されていないので、リンク断情報をＯＭＣＩセルとして網側装置４へ送信する。網側装置４は、加入者側装置２ａに対して送信許可を与えず、その分を他の加入者側装置２ｂ，２ｃに割り当てて、送信許可を下りのデータに挿入して送信する。新規の加入者側装置が存在する場合にも、同様の手順により伝送帯域制御が行われる。
【００２０】
この実施の形態では、ＡＴＭ−ＰＯＮシステムについて記載しているが、他のＰＯＮシステムに対しても、各加入者側装置２ａ，２ｂ，２ｃのリンク情報を網側装置４へ通知する方法が異なるだけで適用可能である。
【００２１】
以上のように、この実施の形態１によれば、加入者側装置２ａは、ＵＮＩ側ＰｏｒｔにＩＰ端末１ａが未接続状態である場合に、Ｐｏｒｔ未接続のリンク断状態を検出し、装置制御部２５は自装置がリンク断状態であることを網側装置４へ通知し、網側装置４は、各加入者側装置２ａ，２ｂ，２ｃへの伝送帯域の割り当てを再設定し、当該加入者側装置２ａには上りの伝送帯域を割り当てずに、伝送路を共有している他の加入者側装置２ｂ，２ｃに上りの伝送帯域を割り当てることにより、上りの伝送帯域を有効に活用することができるという効果が得られる。
【００２２】
また、この実施の形態１によれば、例えば、加入者側装置２ａがリンク断状態である場合に、網側装置４が当該加入者側装置２ａへの下りのデータの送信を停止することにより、帯域制御部４６が、他の加入者側装置２ｂ，２ｃに対して、より多くの下りの伝送帯域を割り当てることができ、下りの伝送帯域を有効に活用することもできるという効果が得られる。
【図面の簡単な説明】
【００２３】
【図１】この発明の実施の形態１による伝送帯域制御システムを実現するＡＴＭ−ＰＯＮシステムの構成を示すブロック図である。
【図２】ＡＴＭ−ＰＯＮシステムの簡略構成を示すブロック図である。
【図３】網側装置と加入者側装置間のデータ送受信時のシーケンスを示す図である。
【符号の説明】
【００２４】
１ａ，１ｂ，１ｃ  ＩＰ端末、２ａ，２ｂ，２ｃ  加入者側装置、３  光スプリッタ、４  網側装置、５  ＩＰ網、２１  Ｅｔｈｅｒ  Ｆｒａｍｅ送受信部、２２  ＳＡＲ部、２３  ＡＴＭ−ＰＯＮ終端部、２４  光送受信部、２５  装置制御部、２６  リンク断検出部、４１  光送受信部、４２  ＡＴＭ−ＰＯＮ終端部、４３  ＳＡＲ部、４４  Ｅｔｈｅｒ  Ｆｒａｍｅ送受信部、４５  装置監視制御部、４６  帯域制御部。
【図１】
2006157159.tif 000003
【図２】
2006157159.tif 000004
【図３】
2006157159.tif 000005